(57)【要約】【課題】数珠を，ブレスレットとして体裁良く身に付けることができるようにする。【解決手段】親珠１３と多数の主珠１４とを伸縮性を有する中糸１６により環状に繋いでなる数珠本体１１と，親珠１３に，これを包むようにして着脱可能に取り付けられる接続具２０と，この接続具２０に接続された房１２とからなっており，接続具２０を親珠１３から外して数珠本体１１から房１２を分離すれば，数珠本体１１を，その伸縮性の中糸１６を伸ばしながら，腕に巻き付けて，ブレスレットとして誰でも簡単に使用することができる。【選択図】  図４
0003104564.tif 000002
【実用新案登録請求の範囲】
【請求項１】
少なくとも１つの親珠（１３）と多数の主珠（１４）とを伸縮性を有する中糸（１６）により環状に繋いでなる，ブレスレットとしても使用可能な数珠本体（１１）と，前記親珠（１３）に，これを包むようにして着脱可能に取り付けられる接続具（２０）と，この接続具（２０）に接続された房（１２）とからなることを特徴とする，ブレスレット兼用の数珠。
【請求項２】
請求項１記載のブレスレット兼用の数珠において，
前記接続具（２０）を，前記親珠（１３）を収容保持する閉じ位置（Ｃ）と，前記親珠（１３）を解放する開き位置（Ｏ）との間を相互に回動し得るようヒンジ手段（２３ａ，２３ｂ，２４）により一端部間を結合されて対をなす略半球状のケージ（２１ａ，２１ｂ）と，両ケージ（２１ａ，２１ｂ）の他端部に設けられ，両ケージ（２１ａ，２１ｂ）の閉じ位置（Ｃ）を保持する係止手段（２５ａ，２５ｂ）とで構成したことを特徴とする，ブレスレット兼用の数珠。
【請求項３】
請求項２記載のブレスレット兼用の数珠において，
前記閉じ位置（Ｃ）に保持した両ケージ（２１ａ，２１ｂ）間には，前記親珠（１３）を貫通する中糸（１６）の，前記ヒンジ手段（２４）及び係止手段（２５ａ，２５ｂ）間での移動を許容するスリット状の間隙（２９）を設けたことを特徴とする，ブレスレット兼用の数珠。
【考案の詳細な説明】
【技術分野】
【０００１】
本考案は，数珠をブレスレットとしても使用し得るようにした，ブレスレット兼用の数珠に関する。
【背景技術】
【０００２】
近年，身飾りと心の癒しのために，多数の水晶等の宝玉を伸縮性の中糸で環状に繋いでなるブレスレットが多くの人に使用されている。
【考案の開示】
【考案が解決しようとする課題】
【０００３】
ところで，愛用する数珠を，ブレスレットとして体裁良く身に付けることができるようにすれば，使用者に，より一層大きな心の癒し効果を与えることができるであろう。
【０００４】
本考案は，かゝる点に鑑みてなされたもので，数珠を，ブレスレットとして体裁良く身に付け得るようにした，ブレスレット兼用の数珠を提供することを目的とする。
【課題を解決するための手段】
【０００５】
上記目的を達成するために，本考案のブレスレット兼用の数珠は，少なくとも１つの親珠と多数の主珠とを伸縮性を有する中糸により環状に繋いでなる，ブレスレットとしても使用可能な数珠本体と，前記親珠に，これを包むようにして着脱可能に取り付けられる接続具と，この接続具に接続された房とからなることを第１の特徴とする。
【０００６】
また本考案は第１の特徴に加えて，前記接続具を，前記親珠を収容保持する閉じ位置と，前記親珠を解放する開き位置との間を相互に回動し得るようヒンジ手段により一端部間を結合されて対をなす略半球状のケージと，両ケージの他端部に設けられ，両ケージの閉じ位置を保持する係止手段とで構成したことを第２の特徴とする。
【０００７】
尚，前記ヒンジ手段は，後述する本考案の実施例中のヒンジアーム２３ａ，２３ｂ及びヒンジピン２４に対応し，前記係止手段は係止片２５ａ，２５ｂに対応する。
【０００８】
さらに本考案は，第２の特徴に加えて，前記閉じ位置に保持した両ケージ間には，前記親珠を貫通する中糸の，前記ヒンジ手段及び係止手段間での移動を許容するスリット状の間隙を設けたことを第３の特徴とする。
【考案の効果】
【０００９】
本考案の第１の特徴によれば，数珠本体の親珠に，これを包むようにして，房を接続した接続具を取り付けば，数珠を構成することができるので，これを従来一般の数珠と同様に使用することができる。
【００１０】
この場合，接続具を貴金属製とすれば，貴金属製の接続具により親珠が包まれることになり，厳かな雰囲気を醸し出すことができる。
【００１１】
また接続具を親珠から外して数珠本体から房を分離すれば，数珠本体を，その伸縮性の中糸を伸ばしながら，腕に巻き付けて，ブレスレットとして誰でも簡単に使用することができる。こうして数珠本体をブレスレットとして体裁良く身に付けることができるので，使用者に，より一層大きな心の癒し効果を得ることができる。
【００１２】
また本考案の第２の特徴によれば，両ケージの開閉により，両ケージ間への親珠の出し入れ，即ち数珠本体及び房の分離，接続を容易に行うことができる。
【００１３】
さらに本考案の第３の特徴によれば，親珠が両ケージ内では回転可能であり，また両ケージ間には，中糸の，ヒンジ手段及び係止手段間での移動を許容するスリット状の間隙が設けられているので，数珠としての使用中，中糸が上記間隙内を移動し得る範囲で親珠と両ケージとの相対回転が可能であり，したがって中糸に無理な力を加えずに済み，耐久性を確保し得る。
【考案を実施するための最良の形態】
【００１４】
本考案の実施の形態を，添付図面に示す本考案の好適な実施例に基づいて説明する。
【００１５】
図１は本考案に係るブレスレット兼用の数珠の正面図，図２は図１の２部拡大図，図３は図２の３−３線断面図，図４は数珠本体から房を取り外す要領を示す，図３との対応図，図５は数珠本体をブレスレットとして使用する状態で示す斜視図である。
【００１６】
先ず，図１及び図２において，ブレスレット兼用の数珠１０は，環状の数珠本体１１と，それに着脱可能に取り付けられる房１２とからなっている。数珠本体１１は，互いに正対する一対の親珠１３，１３と，これら親珠１３，１３間に対称的に多数配置された主珠１４，１４…と，これら主珠１４，１４…間に親珠１３，１３に関して対称的に挿入される四天珠１５，１５…又は二天珠とを，それらに合成ゴム等からなる伸縮性を有する中糸１６を通すことにより，環状に繋いで構成される。上記各種珠１３，１４，１５の素材は，水晶等の宝玉である。
【００１７】
親珠１３，１３は，球体に近い多面体をなしており，これらの少なくとも一方に，接続具２０を介して房１２が着脱可能に取り付けられる。
【００１８】
上記接続具２０について，図２〜図４を参照しながら説明する。
【００１９】
接続具２０は，親珠１３の形状に対応した略半球状の一対のケージ２１ａ，２１ｂを主たる構成要素とする。両ケージ２１ａ，２１ｂは金等の貴金属製で，ハニカム模様をつくる多数の透孔２２，２２…が設けられる。両ケージ２１ａ，２１ｂの下端部にはヒンジアーム２３ａ，２３ｂが一体に突設されており，これらはヒンジピン２４により連結される。而して，両ケージ２１ａ，２１ｂは，ヒンジピン２４を軸として，親珠１３を回転可能に包むように保持する閉じ位置Ｃ（図３参照）と，親珠１３を解放する開き位置Ｏ（図４参照）との間を相互に回動可能である。
【００２０】
両ケージ２１ａ，２１ｂの上端部には係止片２５ａ，２５ｂがそれぞれ一体に突設され，その一方の係止片２１ａには係止孔２６が設けられる，他方の係止片２１ｂには，上記係止孔２６に弾性的に係合し得る係止爪２７が形成される。
【００２１】
また前記ヒンジアーム２３ａ，２３ｂの一方には接続環２８が一体に付設されており，この接続環２８に前記房１２の接続紐１２ａが結び付けられる。
【００２２】
両ケージ２１ａ，２１ｂ間には，これらが閉じ位置Ｃを占めるとき，前記中糸１６の，前記ヒンジピン２４及び係止片２５ａ，２５ｂ間での移動を許容するスリット状の間隙２９が設けられる。
【００２３】
次に，この実施例の作用について説明する。
【００２４】
図４に示すように，接続具２０の両ケージ２１ａ，２１ｂを相互に開けば，数珠本体１１の親珠１３の両ケージ２１ａ，２１ｂ間への出し入れが可能となる。
【００２５】
而して，両ケージ２１ａ，２１ｂ間に親珠１３を入れた後，一定の力をもって両ケージ２１ａ，２１ｂを閉じると，一方のケージ２１ａの係止孔２６に他方のケージ２１ｂの係止爪２７が弾性的係合することにより，両ケージ２１ａ，２１ｂは閉じ状態に保持されて，親珠１３を収容保持することができる。こうして，数珠本体１１に房１２を取り付けた数珠１０は，従来一般の数珠と同様に使用することができる。
【００２６】
その際，親珠１３は，房１２に接続された貴金属製の接続具２０，即ち一対にケージ２１ａ，２１ｂに包まれているので，厳かな雰囲気を醸し出すことができる。しかも親珠１３が両ケージ２１ａ，２１ｂ内で回転可能でありこと，並びに両ケージ２１ａ，２１ｂ間には，中糸１６の，ヒンジピン２４及び係止片２５ａ，２５ｂ間での移動を許容するスリット状の間隙２９が設けられていることにより，使用中，中糸１６が上記間隙２９内を移動し得る範囲で親珠１３と両ケージ２１ａ，２１ｂとの相対回転が可能であるから，中糸１６に無理な力を加えずに済み，耐久性を確保し得る。
【００２７】
閉じ状態の両ケージ２１ａ，２１ｂに対して，開き方向に一定の力を加えると，係止爪２７及び係止孔２６の係合が外れて，両ケージ２１ａ，２１ｂ間を開くことができる。
【００２８】
そこで，両ケージ２１ａ，２１ｂ間から親珠１３を取り出して，数珠本体１１から房１２を分離すれば，図５に示すように，数珠本体１１を，その伸縮性の中糸１６を伸ばしながら，腕Ａに二重に巻き付けて，ブレスレットとして使用することができる。したがって，このブレスレットは，腕Ａの太さを問わないフリーサイズ型となり，誰もが容易に装着することができる。
【００２９】
かくして，本考案の数珠１０の持ち主は，その愛用の数珠１０の数珠本体１１をブレスレットとして体裁良く身に付けることができるので，一層大きな心の癒し効果を得ることができる。
【００３０】
本考案は，上記実施例に限定されるものではなく，その要旨を逸脱しない範囲で種々の設計変更が可能である。例えば，各種珠１３，１４，１５の数や配列は任意であり，またそれらの素材も自由である。
【図面の簡単な説明】
【００３１】
【図１】本考案に係るブレスレット兼用の数珠の正面図。
【図２】図１の２部拡大図。
【図３】図２の３−３線断面図。
【図４】数珠本体から房を取り外す要領を示す，図３との対応図。
【図５】数珠本体をブレスレットとして使用する状態で示す斜視図。
【符号の説明】
【００３２】
１０・・・・ブレスレット兼用の数珠
１１・・・・数珠本体
１２・・・・房
１３・・・・親珠
１４・・・・主珠
１６・・・・中糸
２０・・・・接続具
２１ａ，２１ｂ・・・ケージ
２３ａ，２３ｂ・・・ヒンジアーム
２４・・・・ヒンジピン
２５ａ，２５ｂ・・・係止片
２９・・・・間隙
【図１】
0003104564.tif 000003
【図２】
0003104564.tif 000004
【図３】
0003104564.tif 000005
【図４】
0003104564.tif 000006
【図５】
0003104564.tif 000007